(57)【要約】【課題】開閉操作の操作性を良好にし、かつ防犯性能を高めることができるとともに、意匠性を向上させることができる建具を提供すること。【解決手段】ロック機構５６のつまみ部材５６Ａを第１位置にスライド操作し、突没部材５６Ｂを突出させて操作アーム５２の係合凹部５２Ｄに係合することで、操作アーム５２の回動を規制することができ、操作アーム５２を確実に閉位置に維持することができる。従って、通常使用時の衝撃や振動で操作アーム５２が意図せずに開位置に移動したり、室外側から障子が引っ張られて操作アーム５２が開位置に移動したりすることが防止でき、障子の閉鎖状態を維持して防犯性能を高めることができる。操作アーム５２をロックするかロックを解除するかが意図して実行されるため、操作アーム５２がロックされて障子が閉鎖された状態かロックが解除された状態かを容易に判別することができ、操作性を向上させることができる。【選択図】図７
2007120006.tif 000002
【特許請求の範囲】
【請求項１】
開口部を有した枠体と、この枠体に開閉自在に支持された面材と、この面材を開閉操作するための操作手段とを備えた建具であって、
前記操作手段は、前記枠体または面材に設けられたベース部と、このベース部に支持された操作部と、この操作部の移動を規制する規制部とを備え、
前記操作部は、前記ベース部に対して回転移動および並進移動の少なくとも一方の動作により、前記面材を閉鎖させる閉位置と開放させる開位置との間を移動自在に構成され、
前記規制部は、前記ベース部または操作部にスライド自在に支持されたつまみ部材と、このつまみ部材のスライドにより前記ベース部または操作部に対して突没移動する突没部材とを有して構成され、
前記つまみ部材は、前記突没部材を前記ベース部または操作部から突出させる第１位置と、前記突没部材を前記ベース部または操作部に没入させる第２位置との間をスライド可能に構成され、当該つまみ部材を第１位置側にスライドさせることで前記突没部材が突出し、突出した突没部材が前記操作部またはベース部に係合して閉位置にある当該操作部の移動が規制され、当該つまみ部材を第２位置側にスライドさせることで前記突没部材が没入し、この突没部材と前記操作部またはベース部との係合が外れて当該操作部の移動規制が解除され、
前記突没部材の突没方向が前記つまみ部材のスライド方向に対して傾斜して設けられている建具。
【請求項２】
前記つまみ部材は、そのスライド方向に対して傾斜しかつ前記突没部材に摺接する第１および第２の摺接面を有して形成され、
前記突没部材は、その突没方向に対して傾斜しかつ前記つまみ部材の第１および第２の摺接面に各々摺接される第１および第２の被摺接面を有して形成され、
前記つまみ部材を第１位置側にスライドさせることで、前記第１摺接面に摺接した前記第１被摺接面が押圧されて前記突没部材が突出し、突出した突没部材が前記操作部またはベース部に係合して閉位置にある当該操作部の移動が規制され、
前記つまみ部材を第２位置側にスライドさせることで、前記第２摺接面に摺接した前記第２被摺接面が押圧されて前記突没部材が没入し、この突没部材と前記操作部またはベース部との係合が外れて当該操作部の移動規制が解除される請求項１に記載の建具。
【請求項３】
前記つまみ部材および突没部材の一方には、互いに対向した一対の突出片が形成され、これら一対の突出片のうちの一方の突出片の対向内面で前記第１摺接面または第１被摺接面が構成され、他方の突出片の対向内面で前記第２摺接面または第２被摺接面が構成され、
前記つまみ部材および突没部材の他方には、前記一対の突出片間に挿入される挿入片が形成され、この挿入片の一方の面で前記第１被摺接面または第１摺接面が構成され、挿入片の他方の面で前記第２被摺接面または第２摺接面が構成されている請求項２に記載の建具。
【請求項４】
前記規制部のつまみ部材および突没部材は、前記ベース部に設けられ、前記操作部には、前記突没部材と係合する係合凹部が形成され、
前記突没部材は、前記ベース部から突出して前記操作部の係合凹部に係合可能に設けられている請求項１から請求項３のいずれかに記載の建具。
【発明の詳細な説明】
【技術分野】
【０００１】
本発明は、建具に関し、詳しくは、開口部を有した枠体と、この枠体に開閉自在に支持された面材と、この面材を開閉操作するための操作手段とを備えた建具に関する。
【背景技術】
【０００２】
面材が窓枠等の枠体から突出して開放される突出し窓（押出し窓）等の建具が知られている（例えば、特許文献１参照）。
特許文献１に記載された突出し窓は、面材（窓本体）が枠体に対して略平行に突没することで開閉するように構成され、枠体に軸支されかつ見込み方向に進退自在に支持されるとともに面材に連結されたアーム部材（揺動アーム）によって、面材を開閉操作する操作手段が構成されている。そして、アーム部材を上方に回動してから室外側に向かって押し出すとともに押し出した位置でアーム部材を位置決めして面材を開放することができ、面材が開放した状態でアーム部材の位置決めを解除してからアーム部材を室内側に引っ張るとともに下方に回動して面材を閉じることができるようになっている。
【０００３】
【特許文献１】特開平１０−２１４９号公報
【発明の開示】
【発明が解決しようとする課題】
【０００４】
しかしながら、前記特許文献１に記載された従来の突出し窓では、面材を閉鎖した状態でアーム部材のガイド孔の一部がガイドピンに引っ掛かることで、アーム部材が閉位置に維持されるようになっているものの、開閉操作の繰り返しによる摩耗で引っ掛かりが緩んでしまうと規制力が弱くなり、アーム部材を閉位置に維持することができなくなってしまう。このような状態で外部から面材が引っ張られると、アーム部材が開位置方向に容易に回動して面材が開放されてしまうため、防犯性の点で問題がある。
さらに、従来の突出し窓における操作手段では、アーム部材を閉位置まで回動させたことが利用者から判別しにくいため、面材が完全に閉鎖されていないことに気付かない可能性があり、防犯性が劣るとともに操作性の点でも問題がある。
また、アーム部材の回動操作を規制するロック装置等を枠体側ブラケット等に設けるにしても、枠体側ブラケットの形状が斜面を有する形状であるため、意匠性を考慮してその斜面上にロック操作する操作ツマミを設けた場合、その操作ツマミとロック装置内部のロック機構との連動構造が複雑化する虞がある。
【０００５】
本発明の目的は、開閉操作の操作性を良好にし、かつ防犯性能を高めることができるとともに、意匠性を向上させることができる建具を提供することにある。
【課題を解決するための手段】
【０００６】
本発明の建具は、開口部を有した枠体と、この枠体に開閉自在に支持された面材と、この面材を開閉操作するための操作手段とを備えた建具であって、前記操作手段は、前記枠体または面材に設けられたベース部と、このベース部に支持された操作部と、この操作部の移動を規制する規制部とを備え、前記操作部は、前記ベース部に対して回転移動および並進移動の少なくとも一方の動作により、前記面材を閉鎖させる閉位置と開放させる開位置との間を移動自在に構成され、前記規制部は、前記ベース部または操作部にスライド自在に支持されたつまみ部材と、このつまみ部材のスライドにより前記ベース部または操作部に対して突没移動する突没部材とを有して構成され、前記つまみ部材は、前記突没部材を前記ベース部または操作部から突出させる第１位置と、前記突没部材を前記ベース部または操作部に没入させる第２位置との間をスライド可能に構成され、当該つまみ部材を第１位置側にスライドさせることで前記突没部材が突出し、突出した突没部材が前記操作部またはベース部に係合して閉位置にある当該操作部の移動が規制され、当該つまみ部材を第２位置側にスライドさせることで前記突没部材が没入し、この突没部材と前記操作部またはベース部との係合が外れて当該操作部の移動規制が解除され、前記突没部材の突没方向が前記つまみ部材のスライド方向に対して傾斜して設けられていることを特徴とする。
【０００７】
ここで、枠体としては、建物等の躯体に固定されたものでもよく、また枠体自身が躯体等に開閉移動可能に支持されたものでもよい。
また、面材としては、ガラスパネルや樹脂製パネル等の板材から形成されたものでもよく、上下左右の框材を四周框組みした内部に板材を嵌め込んで形成された障子でもよい。
【０００８】
以上の本発明によれば、規制部のつまみ部材を操作して第１位置にスライド移動させ、突没部材を突出させて操作部の移動を規制することで、面材を閉じる閉位置からの操作部の移動を規制する（ロックする）ことができ、操作部を確実に閉位置に維持することができる。従って、通常使用上の衝撃や振動で操作部が意図せずに開位置に移動したり、室外側から面材が引っ張られて操作部が開位置に移動したりすることが防止でき、面材の閉鎖状態を維持して防犯性能を高めることができる。
また、突没部材の突没方向に対してつまみ部材のスライド方向が傾斜して（つまり、平行ではない角度で）設けられているので、つまみ部材と突没部材とをベース部の形状に関わらず任意の位置に設置することができ、ベース部および操作部の形状およびつまみ部材の設置位置の設計自由度が高まって、操作手段の意匠性を高めることができる。
さらに、つまみ部材をスライド操作して第１位置または第２位置に位置させる、つまり利用者の操作により操作部をロックするかロックを解除するかが意図して実行されるため、操作部がロックされて面材が閉鎖された状態かロックが解除された状態かを容易に判別することができる。従って、面材を閉鎖したにも関わらずロックが解除されていれば、これに気付いてロックすることで防犯性を確保することができるとともに、ロックされた状態で操作部を無理に開閉操作してしまうことが防止でき、操作性を向上させることができる。
【０００９】
この際、本発明の建具では、前記つまみ部材は、そのスライド方向に対して傾斜しかつ前記突没部材に摺接する第１および第２の摺接面を有して形成され、前記突没部材は、その突没方向に対して傾斜しかつ前記つまみ部材の第１および第２の摺接面に各々摺接される第１および第２の被摺接面を有して形成され、前記つまみ部材を第１位置側にスライドさせることで、前記第１摺接面に摺接した前記第１被摺接面が押圧されて前記突没部材が突出し、突出した突没部材が前記操作部またはベース部に係合して閉位置にある当該操作部の移動が規制され、前記つまみ部材を第２位置側にスライドさせることで、前記第２摺接面に摺接した前記第２被摺接面が押圧されて前記突没部材が没入し、この突没部材と前記操作部またはベース部との係合が外れて当該操作部の移動規制が解除されることが好ましい。
このような構成によれば、つまみ部材と突没部材とが摺接し合うだけの単純な構造で、つまみ部材のスライド操作と突没部材の突没動作とを連動させることができ、製造コストを抑制して規制部を構成することができる。
【００１０】
さらに、本発明の建具では、前記つまみ部材および突没部材の一方には、互いに対向した一対の突出片が形成され、これら一対の突出片のうちの一方の突出片の対向内面で前記第１摺接面または第１被摺接面が構成され、他方の突出片の対向内面で前記第２摺接面または第２被摺接面が構成され、前記つまみ部材および突没部材の他方には、前記一対の突出片間に挿入される挿入片が形成され、この挿入片の一方の面で前記第１被摺接面または第１摺接面が構成され、挿入片の他方の面で前記第２被摺接面または第２摺接面が構成されていることが好ましい。
このような構成によれば、つまみ部材および突没部材の一方に形成した一対の突出片と他方に形成した挿入片とによって、第１および第２の摺接面と第１および第２の被摺接面とが構成されるので、簡単な構造でつまみ部材および突没部材を連動させることができる。さらに、一対の突出片および挿入片の突出方向を適宜設定することで、突没部材の突没方向や突没移動量（突没ストローク）、つまみ部材のスライド方向やスライド量を、適切に調節することができる。
【００１１】
また、本発明の建具では、前記規制部のつまみ部材および突没部材は、前記ベース部に設けられ、前記操作部には、前記突没部材と係合する係合凹部が形成され、前記突没部材は、前記ベース部から突出して前記操作部の係合凹部に係合可能に設けられていることが好ましい。
このような構成によれば、ベース部に設けた突没部材を操作部の係合凹部に係合させることで、より確実に操作部を閉位置に維持することができる。
【発明を実施するための最良の形態】
【００１２】
以下、本発明の実施形態を図面に基づいて説明する。
図１および図２は、それぞれ実施形態に係る建具であるドア１を示す姿図であって、図１は、ドア１を室内側から見た内観姿図であり、図２は、ドア１を室外側から見た外観姿図である。図３〜図５は、それぞれドア１を示す縦断面図であり、図３は、障子３を閉じた状態を示し、図４は、障子３を開いた状態を示し、図５は、障子３をメンテナンス位置まで開いた状態を示している。図６は、ドア１を示す横断面図であり、障子３を開いた状態を示している。ここで、図３〜図５は、それぞれ図１に矢視III −III 線（矢視IV−IV線、矢視Ｖ−Ｖ線）で示す断面図であり、図６は、図１に矢視VI−VI線で示す断面図である。
【００１３】
図１〜図６において、ドア１は、戸建て住宅や集合住宅等の建物の出入り口（玄関や勝手口）に設けられて建物の室内空間と室外空間とを仕切るとともに、開閉することで居住者等が出入り可能、かつ施錠することで防犯性を有して構成されたものである。なお、各図において、ドア１が取り付けられる建物の外壁や、外壁に固定されたドア枠等の図示を省略した。
ドア１は、金属製の板材を組み合わせて全体略矩形状に形成された枠体としての扉体２と、この扉体２の開口部２Ａ部分に支持された面材としての障子３と、扉体２をヒンジを介して開閉可能に支持するドア枠（不図示）とを備えて構成されている。開口部２Ａは、扉体２の略中央部に縦長矩形状に形成されている。
【００１４】
障子３は、上框３１、下框３２、および左右の縦框３３を四周框組みした内部に、ガラスパネル３４を嵌め込んで構成されている。この障子３は、扉体２の開口部２Ａを塞ぐ閉鎖位置（図３の位置）と、扉体２の見込み方向室外側に突出した開放位置（図４の位置）との間を突没移動可能に支持されている。すなわち、障子３は、扉体２を窓枠とした突出し窓を構成している。また、障子３の室外面は、格子体３５で覆われており、この格子体３５は、縦框３３の室外側側面に室内側からビス止め固定された左右一対の縦枠材３６と、これらの縦枠材３６間に渡って固定された複数の横材３７と、これらの横材３７に交差して横材３７の室外側に固定された複数の縦材３８とを有して構成されている。そして、格子体３５は、障子３の開閉移動に伴って障子３と一体に開閉されるようになっている。
【００１５】
そして、ドア１には、障子３を見込み方向に突没移動可能に支持する障子支持部４と、障子３を開閉操作するための操作手段である障子操作部５とが設けられている。
障子支持部４は、扉体２の開口部２Ａの左右端縁における上下に離隔した位置である上部および下部に、それぞれ開口部２Ａを挟んで互いに対向して一対ずつが２組（４箇所に）設けられている。これらの障子支持部４は、開口部２Ａ端縁に固定された枠側ブラケット４１と、障子３の縦框３３に固定された障子側ブラケット４２と、これらの枠側ブラケット４１および障子側ブラケット４２に両端部がそれぞれ軸支された支持アーム４３とを有して構成されている。支持アーム４３は、その一端側が回動自在に枠側ブラケット４１に連結されるとともに、他端側が回動自在に障子側ブラケット４２に連結され、略鉛直な面内で回動可能に構成されている。また、開口部２Ａの下部に設けられた障子支持部４の支持アーム４３同士は、障子３の下框３２の下側に沿って延びる回転軸４４で互いに連結されており、この回転軸４４により一対の支持アーム４３同士の回動を同期させることができるようになっている。
【００１６】
次に、障子操作部５の構造について、図７〜図９も参照して詳しく説明する。
図７および図８は、障子操作部５の一部を断面して示す断面図であり、図７は、障子操作部５の操作アーム５２が閉位置にある状態が示され、図８は、操作アーム５２が開位置にある状態が示されている。図９は、操作アームの回動を規制するロック機構５６を示す斜視図である。
障子操作部５は、扉体２の開口部２Ａの左右端縁における高さ方向略中間位置の室内側側面に固定されたベース部５１と、このベース部５１に回動自在かつ見込み方向にスライド自在に支持された操作アーム（操作部）５２と、この操作アーム５２に回動自在に連結されかつベース部５１に対して見込み方向にスライド自在に支持されたスライド部材５３と、このスライド部材５３を室外側に向かって付勢する図示しないコイルばね等の付勢手段とを有して構成されている。そして、スライド部材５３の室外側に固定された連結アーム５４の上下端に障子３が連結されている。また、左右一対の操作アーム５２同士は、長円形断面を有した操作ハンドル５５で連結され、この操作ハンドル５５の操作により左右の操作アーム５２が同期して回動かつスライドするように構成されている。
【００１７】
ベース部５１は、扉体２に固定される第１部材としての固定部材５１Ａと、この固定部材５１Ａに上下方向にスライド自在に支持された第２部材としてのスライドベース部５１Ｂとを有して構成されており、スライドベース部５１Ｂを下方にスライドさせることで、図５に示すように障子３をメンテナンス位置に移動させることができるようになっている。また、ベース部５１の固定部材５１Ａには、見込み方向に沿った案内溝５１Ｃが形成されており、操作アーム５２とスライド部材５３とを回動自在に連結する連結ピン５２Ａが案内溝５１Ｃに案内されることで、操作アーム５２およびスライド部材５３が見込み方向にスライド可能になっている。
【００１８】
操作アーム５２は、連結ピン（回動中心）５２Ａ回りに回動可能にベース部５１の固定部材５１Ａに支持されるとともに、スライドベース部５１Ｂに当接可能な第１および第２の当接面５２Ｂ，５２Ｃを有して形成されている。そして、操作アーム５２は、第１当接面５２Ｂがスライドベース部５１Ｂの被当接面５１Ｄに当接する閉位置（図３および図７の位置）と、第２当接面５２Ｃがスライドベース部５１Ｂの被当接面５１Ｄに当接する開位置（図４および図８の位置）との間を回動可能に構成されている。そして、連結ピン５２Ａから第１当接面５２Ｂまでの法線方向の距離は、連結ピン５２Ａから第２当接面５２Ｃまでの法線方向の距離よりも大きく設定され、これらの距離の差が障子３の閉鎖位置と開放位置とにおける突没移動距離になっている。
【００１９】
また、障子操作部５における左右のベース部５１のうち、一方（図１中右側）のベース部５１の固定部材５１Ａには、操作アーム５２の閉位置からの回動を規制する規制部としてのロック機構５６が設けられている。このロック機構５６は、固定部材５１Ａの傾斜面５１Ｅにスライド自在に支持されたつまみ部材５６Ａと、このつまみ部材５６Ａのスライドにより固定部材５１Ａに対して上下に突没移動する突没部材５６Ｂとを有して構成されている。また、操作アーム５２には、突没部材５６Ｂと係合可能な係合凹部５２Ｄが形成されている。そして、図７に示すように、操作アーム５２が閉位置にある状態において、つまみ部材５６Ａを傾斜面５１Ｅの上側（第１位置側）にスライド操作することで、突没部材５６Ｂが上方に突出して操作アーム５２の係合凹部５２Ｄに係合するようになっている。一方、図８に示すように、つまみ部材５６Ａを傾斜面５１Ｅの下側（第２位置側）にスライド操作することで、突没部材５６Ｂが固定部材５１Ａの内側に没入して突没部材５６Ｂと係合凹部５２Ｄとの係合が外れ、操作アーム５２が閉位置から開位置に向かって回動操作できるようになっている。このような突没部材５６Ｂの突没方向（上下方向）と、つまみ部材５６Ａのスライド方向（傾斜面５１Ｅに沿った方向）とは、所定角度（本実施形態では略４０°）だけ傾斜している。この際、突没部材５６Ｂの突没方向とつまみ部材５６Ａのスライド方向とがなす傾斜角度としては、３０°以上９０°以下の範囲に設定されていることが好ましく、さらには、４０°以上６０°以下の範囲であることがより好ましい。
【００２０】
以上のロック機構５６のつまみ部材５６Ａには、図９に示すように、そのスライド方向に略直交して延出し、互いに対向した一対の突出片５６Ｃ，５６Ｄが形成されている。また、突没部材５６Ｂには、つまみ部材５６Ａの突出片５６Ｃ，５６Ｄ間に挿入される挿入片５６Ｅが形成されている。そして、つまみ部材５６Ａを第１位置側にスライドさせた場合には、一方の突出片５６Ｃの対向内面である上面が突没部材５６Ｂの挿入片５６Ｅの下面（一方の面）に摺接し、この突出片５６Ｃに押圧されて突没部材５６Ｂが上方に突出するようになっている。すなわち、つまみ部材５６Ａの一方の突出片５６Ｃの上面で第１摺接面が構成され、突没部材５６Ｂの挿入片５６Ｅの下面で第１被摺接面が構成されている。また、つまみ部材５６Ａを第２位置側にスライドさせた場合には、他方の突出片５６Ｄの対向内面である下面が突没部材５６Ｂの挿入片５６Ｅの上面（他方の面）に摺接し、この突出片５６Ｄに押圧されて突没部材５６Ｂが下方に没入するようになっている。すなわち、つまみ部材５６Ａの他方の突出片５６Ｄの下面で第２摺接面が構成され、突没部材５６Ｂの挿入片５６Ｅの上面で第２被摺接面が構成されている。
【００２１】
以上のような障子操作部５において、ロック機構５６のつまみ部材５６Ａを第２位置にスライドさせて突没部材５６Ｂと係合凹部５２Ｄとの係合を外してから、操作ハンドル５５を操作して操作アーム５２を下方へ向かって回動させることで、スライド部材５３が室外側に向かってスライドされて障子３が開放される。このように障子３が開放された状態において、開位置にある操作アーム５２の第２当接面５２Ｃがベース部５１の被当接面５１Ｄに当接することで、操作アーム５２およびスライド部材５３が位置決めされ、障子３が開放位置に位置決めされるようになっている。
一方、障子３が開放された状態で操作アーム５２を上方へ向かって回動することで、スライド部材５３が室内側に向かってスライドされて障子３が閉鎖される。そして、障子３が閉鎖された状態において、閉位置にある操作アーム５２の第１当接面５２Ｂがベース部５１の被当接面５１Ｄに当接することで、操作アーム５２およびスライド部材５３が位置決めされ、障子３が閉鎖位置に位置決めされるようになっている。さらに、ロック機構５６のつまみ部材５６Ａを第１位置にスライドさせることで操作アーム５２が回動操作不能になりロックされるようになっている。
【００２２】
以上のような障子支持部４および障子操作部５によって開閉可能に支持された障子３は、図５に示すように、開放位置よりもさらに室外側に突出したメンテナンス位置まで開放できるようになっている。そして、メンテナンス位置まで障子３を開放した状態において、扉体２と障子３との間に形成される隙間から手や工具を挿入することで、障子支持部４の連結を解除して障子３を扉体２から取り外すことができるようになっている。
このようなメンテナンス位置へ障子３を開放するためには、先ず、操作アーム５２を下方に回動させた状態で、スライドベース部５１Ｂを操作アーム５２よりも下方までスライドさせる。これによりスライドベース部５１Ｂの被当接面５１Ｄと操作アーム５２の第２当接面５２Ｃとの当接が解除され、操作アーム５２が室外側にスライド可能になる。次に、操作アーム５２を室外側に押し出すことで、スライド部材５３が室外側にスライドされ、このスライドに伴ってスライド部材５３に連結された障子３がメンテナンス位置まで突出される。
【００２３】
このような本実施形態によれば、以下のような効果がある。
（１）すなわち、ロック機構５６のつまみ部材５６Ａを第１位置にスライド操作し、突没部材５６Ｂを突出させて操作アーム５２の係合凹部５２Ｄに係合することで、操作アーム５２の回動を規制することができ、操作アーム５２を確実に閉位置に維持することができる。従って、扉体２を閉じた際の衝撃や振動で操作アーム５２が意図せずに開位置に移動したり、室外側から障子３が引っ張られて操作アーム５２が開位置に移動したりすることが防止でき、障子３の閉鎖状態を維持して防犯性能を高めることができる。
【００２４】
（２）さらに、つまみ部材５６Ａをスライド操作して第１位置または第２位置に位置させる、つまり利用者の操作により操作アーム５２をロックするかロックを解除するかが意図して実行されるため、操作アーム５２がロックされて障子３が閉鎖された状態かロックが解除された状態かを容易に判別することができる。従って、障子３を閉鎖したにも関わらずロックが解除されていれば、これに気付いてロックすることで防犯性を確保することができるとともに、ロックされた状態で操作アーム５２を無理に開閉操作してしまうことが防止でき、操作性を向上させることができる。
【００２５】
（３）また、ロック機構５６のつまみ部材５６Ａのスライド方向が突没部材５６Ｂの突没方向に対して傾斜して設けられているので、つまみ部材５６Ａと突没部材５６Ｂとをベース部５１の形状に合わせて設置することができ、ベース部５１および操作アーム５２の形状およびつまみ部材５６Ａの設置位置の設計自由度が高まって、障子操作部５の意匠性を高めることができる。
【００２６】
（４）さらに、つまみ部材５６Ａに形成した一対の突出片５６Ｃ，５６Ｄと、突没部材５６Ｂに形成した挿入片５６Ｅとによって、第１および第２の摺接面と第１および第２の被摺接面とが構成されるので、簡単な構造でつまみ部材５６Ａおよび突没部材５６Ｂを連動させることができる。そして、突出片５６Ｃ，５６Ｄおよび挿入片５６Ｅの延出方向を適宜設定することで、突没部材５６Ｂの突没方向や突没移動量（突没ストローク）、つまみ部材５６Ａのスライド方向やスライド量を、適切に調節して操作性を良好にすることができる。
【００２７】
（５）また、障子操作部５における操作アーム５２を開位置に回動して、第２当接面５２Ｃをスライドベース部５１Ｂの被当接面５１Ｄに当接させることで、障子３を開放位置に確実に位置決めすることができる。一方、操作アーム５２を閉位置に回動して、操作アーム５２の第１当接面５２Ｂをスライドベース部５１Ｂの被当接面５１Ｄに当接させることで、障子３を閉鎖位置に確実に位置決めすることができる。従って、操作アーム５２を回動させるだけの簡単な操作で障子３を容易に開閉することができる。
【００２８】
（６）さらに、操作アーム５２における連結ピン５２Ａから第１当接面５２Ｂまでの法線方向の距離が、連結ピン５２Ａから第２当接面５２Ｃまでの法線方向の距離よりも大きく設定されているので、この距離の差分だけスライド部材５３および障子３を突没させることができる。そして、操作アーム５２に第１および第２の当接面５２Ｂ，５２Ｃを形成しておくだけの簡単な構造で障子３の突没移動距離を設定することができ、障子操作部５の構造を簡単にして製造コストの低減を図ることができる。
【００２９】
（７）また、左右一対の操作アーム５２同士が操作ハンドル５５で連結されているので、操作ハンドル５５の操作で一対の操作アーム５２を同期させて回動操作でき、各障子操作部５の操作アーム５２を両手で操作する必要がなく、片手でも開閉操作することができて操作性をさらに良好にすることができる。さらに、操作ハンドル５５が非円形断面である長円形断面を有していることで、操作時における左右の操作アーム５２の同期状態が利用者に判別でき、障子３が傾くことなく開閉できる。
【００３０】
（８）また、障子３の室外側に格子体３５を設けたことで、ガラス破り等の不法行為を防止することができ、ドア１の防犯性を向上させることができる。さらに、格子体３５が室内側からビス止め固定されているので、障子３が閉鎖位置および開放位置にある状態において、室外側から格子体３５を取り外すことができず、防犯性をさらに向上させることができる。また、障子３をメンテナンス位置に移動させれば、室内側からビスを外して室外側から格子体３５を取り外すことができるので、交換や補修等を容易に実施することができる。
【００３１】
なお、本発明は、前記各実施形態に限定されるものではなく、本発明の目的を達成できる他の構成等を含み、以下に示すような変形等も本発明に含まれる。
例えば、前記各実施形態では、建具として出入り口に設けられるドア１について説明したが、本発明の建具は、ドアに限らず、窓であってもよい。そして、建具の枠体としては、ドア１の扉体２に限らず、建物に固定された窓枠や、建物の躯体に形成された開口部であってもよい。また、建具としては、面材が平行突出し形式で開閉されるものに限らず、開き形式や、辷出し形式、スライド形式等任意の開閉形式の面材を備えたものが採用可能である。
【００３２】
また、前記各実施形態では、障子支持部４を開口部２Ａの左右の開口端縁に設け、障子３の縦框３３に支持アーム４３を連結したが、これに限らず、障子支持部４を開口部２Ａの上下の開口端縁に設けて、障子３の上框３１および下框３２に支持アーム４３を連結してもよく、さらに障子支持部４を開口部２Ａの上下左右の開口端縁に設けて、障子３の上框３１、下框３２、および左右の縦框３３に支持アーム４３を連結してもよい。また、障子３を開閉自在に支持する構造としては、障子支持部４のような形態に限らず、従来の突出し窓と同様の平行リンク機構や、その他任意の支持構造が採用可能である。
【００３３】
また、前記各実施形態では、ロック機構５６のつまみ部材５６Ａおよび突没部材５６Ｂを障子操作部５のベース部５１に設け、突出させた突没部材５６Ｂが操作アーム５２の係合凹部５２Ｄに係合するように構成したが、つまみ部材および突没部材を操作アーム５２側に設け、突没部材がベース部５１に係合するように構成してもよい。
さらに、ロック機構５６の第１および第２の摺動面と、第１および第２の被摺動面とは、つまみ部材５６Ａに形成した一対の突出片５６Ｃ，５６Ｄと突没部材５６Ｂに形成した挿入片５６Ｅとで構成されるものに限らず、突没部材に一対の突出片を形成するとともにつまみ部材に挿入片を形成し、これらによって摺動面および被摺動面を構成してもよい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の実施形態に係る建具を示す室内側から見た姿図である。
【図２】前記建具を室外側から見た姿図である。
【図３】前記建具を示す縦断面図である。
【図４】前記建具において面材が開放位置にある状態を示す縦断面図である。
【図５】前記建具において面材がメンテナンス位置にある状態を示す縦断面図である。
【図６】前記建具を示す横断面図である。
【図７】前記建具における面材操作部の一部を断面して示す断面図である。
【図８】前記建具における面材操作部の一部を断面して示す断面図である。
【図９】前記面材操作部における規制部を示す斜視図である。
【符号の説明】
【００３６】
２…枠体である扉体、２Ａ…開口部、３…面材である障子、５…操作手段である障子操作部、５１…ベース部、５２…操作部である操作アーム、５２Ａ…回動中心である連結ピン、５２Ｂ…第１当接面、５２Ｃ…第２当接面、５２Ｄ…係合凹部、５３…スライド部材、５６…規制部であるロック機構、５６Ａ…つまみ部材、５６Ｂ…突没部材、５６Ｃ，５６Ｄ…突出片、５６Ｅ…挿入片。
【図１】
2007120006.tif 000003
【図２】
2007120006.tif 000004
【図３】
2007120006.tif 000005
【図４】
2007120006.tif 000006
【図５】
2007120006.tif 000007
【図６】
2007120006.tif 000008
【図７】
2007120006.tif 000009
【図８】
2007120006.tif 000010
【図９】
2007120006.tif 000011